(57)【要約】【課題】開閉ドア及び装置本体、付勢部材の当接部のクリープのリスクを防止しつつ、開閉ドア開閉時のユーザビリティを良好にすることができる画像形成装置を提供する。【解決手段】ポップアップ機構を開閉ドアに設け、開閉ドアが閉じられているときには、装置本体とは接触しない位置で制止するようにして、開閉ドアが装置本体からの付勢力を受けないようにする。そして開閉ドアを開けるときには、装置本体に設けられたドアロック解除部材を押すことで、ポップアップ機構が装置本体を押圧し、開閉ドアと装置本体との係合が解除されたときに、押圧した力に抗する力を受けて開閉ドアが開くようにする。【選択図】図２
2018077336.tif 000002
【特許請求の範囲】
【請求項１】
装置本体と、
前記装置本体の内部を開放可能とするために前記装置本体に対して開閉移動が可能に設けられた開閉部材と、
前記開閉部材が前記内部を閉じる閉位置にあるとき、前記装置本体及び前記開閉部材のうちの一方に設けられた被係合部と係合する係合位置及び係合しない非係合位置に移動可能な、前記装置本体及び前記開閉部材のうちの他方に設けられた係合部材と、
前記係合部材が前記係合位置から前記非係合位置へ移動することによって、前記装置本体と前記開閉部材との間に前記開閉部材を前記閉位置から前記内部を開放する開位置へ移動させるように作用する力を発生させる力発生機構と、
を備えることを特徴とする画像形成装置。
【請求項２】
前記係合位置から前記非係合位置へ移動させるように前記係合部材を押圧可能に設けられた操作部をさらに備え、
前記操作部が前記係合部材を押圧することによって、前記力発生機構は前記力を発生させることを特徴とする請求項１に記載の画像形成装置。
【請求項３】
前記係合部材は、前記開閉部材の前記開閉移動の方向と直交する方向に移動可能に前記他方に設けられており、
前記力発生機構は、前記一方に対して接近または離間する方向に移動可能に前記他方に設けられた可動部材であって、前記係合部材と接触するように設けられるとともに、前記係合位置から前記非係合位置へ移動する前記係合部材から受ける力によって前記一方から離れた位置から前記一方と接触する位置まで移動する可動部材を有することを特徴とする請求項１または２に記載の画像形成装置。
【請求項４】
前記可動部材は、前記係合部材が前記係合位置から外れるタイミングで前記一方と接触する位置まで移動し、前記係合位置から外れた後の前記係合部材の移動によって前記係合部材から受ける力を、前記開閉部材を前記閉位置から前記開位置へ移動させる力に変換して、前記一方と前記係合部材との間に発生させることを特徴とする請求項３に記載の画像形成装置。
【請求項５】
前記力発生機構は、前記可動部材を前記一方から離れる方向に付勢するように前記他方に設けられた付勢部材をさらに有し、
前記可動部材は、前記付勢部材に付勢されることで、前記係合部材との接触状態が維持されるとともに、前記係合部材が前記移動を開始する前は前記一方と接触しないことを特徴とする請求項３または４に記載の画像形成装置。
【請求項６】
前記一方が前記装置本体であり、前記他方が前記開閉部材である場合において、
前記可動部材は、前記開閉部材が前記開位置から前記閉位置へ移動する際に、前記装置本体の前記内部に着脱可能なカートリッジであって、前記内部に装着されてはいるが所定の装着位置に達していないカートリッジを、前記装着位置まで押圧する押圧部を有することを特徴とする請求項３〜５のいずれか１項に記載の画像形成装置。
【請求項７】
前記係合部材は、前記開閉部材の前記開閉移動の方向と直交する方向に移動可能に前記他方に設けられており、
前記力発生機構は、
前記開閉部材の前記開閉移動の方向に移動可能に前記他方に設けられ、遅くとも前記係合部材が前記係合位置から外れるまでに前記一方と接触する第１可動部材と、
前記開閉部材の前記開閉移動の方向に移動可能に前記他方に設けられ、前記係合部材と
接触し、遅くとも前記係合部材が前記係合位置から外れるまでに前記係合部材から受ける力によって前記第１可動部材との距離を縮めるように移動する第２可動部材と、
前記第１可動部材と前記第２可動部材とを連結する付勢部材であって、遅くとも前記係合部材が前記係合位置から外れるまでに、前記第１可動部材と前記第２可動部材との間の距離が縮まることで、前記第１可動部材と前記第２可動部材との間に付勢力を発生する付勢部材と、
を有することを特徴とする請求項１または２に記載の画像形成装置。
【請求項８】
前記第２可動部材は、前記係合位置から外れた後の前記係合部材の移動によって前記係合部材から受ける力を、前記開閉部材を前記閉位置から前記開位置へ移動させる力に変換して、前記一方と前記係合部材との間に発生させ、
前記開閉部材を前記閉位置から前記開位置へ移動させる力には、前記付勢部材の前記付勢力が加わることを特徴とする請求項７に記載の画像形成装置。
【請求項９】
前記一方が前記装置本体であり、前記他方が前記開閉部材である場合において、
前記第１可動部材は、前記開閉部材が前記開位置から前記閉位置へ移動する際に、前記装置本体の前記内部に着脱可能なカートリッジであって、前記内部に装着されてはいるが所定の装着位置に達していないカートリッジを、前記装着位置まで押圧する押圧部を有することを特徴とする請求項７または８に記載の画像形成装置。
【発明の詳細な説明】
【技術分野】
【０００１】
本発明は、装置本体内を開放する開閉部材を有する画像形成装置に関するものである。
【背景技術】
【０００２】
従来、電子写真方式を採用する複写機、プリンタ等の画像形成装置には、カートリッジ交換等のメンテナンスやジャム処理を行えるよう、装置本体に対して回動して開閉可能で、装置本体内を開放する開閉ドア（開閉部材）が設けられている。このような開閉ドアは、閉じ位置では装置本体と係合させ、容易に開かないようにしており、開方向に所定の力を加えることで、開く構成になっている。
【０００３】
しかし、上記の構成では、開閉ドアを開く際に力を要し、ユーザビリティが悪化する懸念があるため、ドアを開ける際にユーザが直接的にドアに力を加える必要のない構成が提案されている。具体的には、装置本体に対する開閉ドアの係合部を、装置本体の外側に配置したドアロック解除部材をユーザが押すことで係合を解除させ、その後、開閉ドアと装置本体の間にある付勢部材の付勢力により、開閉ドアを押し開かせるものである（特許文献１）。
【先行技術文献】
【特許文献】
【０００４】
【特許文献１】特開２０１３−２４２５３５号公報
【発明の概要】
【発明が解決しようとする課題】
【０００５】
しかしながら、特許文献１に開示された構成は、開閉ドア（開閉部材）と装置本体との間にある付勢部材が、開閉ドアが閉じている間も常に付勢力を働かせるものとなっている。そのため、開閉ドアと付勢部材との間、装置本体と付勢部材との間の各当接部にクリープが生じる恐れがある。
【０００６】
本発明の目的は、開閉部材及び装置本体と、付勢部材との間の当接部のクリープの発生を抑制しつつ、開閉部材の開閉時のユーザビリティの向上を図ることができる技術を提供することである。
【課題を解決するための手段】
【０００７】
上記目的を達成するため、本発明の画像形成装置は、
装置本体と、
前記装置本体の内部を開放可能とするために前記装置本体に対して開閉移動が可能に設けられた開閉部材と、
前記開閉部材が前記内部を閉じる閉位置にあるとき、前記装置本体及び前記開閉部材のうちの一方に設けられた被係合部と係合する係合位置及び係合しない非係合位置に移動可能な、前記装置本体及び前記開閉部材のうちの他方に設けられた係合部材と、
前記係合部材が前記係合位置から前記非係合位置へ移動することによって、前記装置本体と前記開閉部材との間に前記開閉部材を前記閉位置から前記内部を開放する開位置へ移動させるように作用する力を発生させる力発生機構と、
を備えることを特徴とする。
【発明の効果】
【０００８】
本発明によれば、開閉部材及び装置本体と付勢部材との間の当接部のクリープの発生を
抑制しつつ、開閉部材の開閉時のユーザビリティの向上を図ることができる。
【図面の簡単な説明】
【０００９】
【図１】本発明の実施例１の画像形成装置の斜視図
【図２】本発明の実施例１の開閉ドアのロック機構の構成を示した斜視図
【図３】本発明の実施例１の開閉ドアのポップアップ機構の動作を示した図
【図４】本発明の実施例１の開閉ドアがポップアップした状態を示した断面図
【図５】本発明の実施例１の画像形成装置の概略構成を示す断面図
【図６】本発明の実施例２の開閉ドアのロック機構の構成を示した斜視図
【図７】本発明の実施例２の開閉ドアのポップアップ機構の動作を示した図
【図８】本発明の実施例２の開閉ドアがポップアップした状態を示した断面図
【図９】本発明の実施例３の開閉ドアのロック機構の構成を示した斜視図
【図１０】本発明の実施例３の開閉ドアのポップアップ機構の動作を示す断面図
【発明を実施するための形態】
【００１０】
以下に図面を参照して、この発明を実施するための形態を、実施例に基づいて例示的に詳しく説明する。ただし、この実施の形態に記載されている構成部品の寸法、材質、形状それらの相対配置などは、発明が適用される装置の構成や各種条件により適宜変更されるべきものである。すなわち、この発明の範囲を以下の実施の形態に限定する趣旨のものではない。
【００１１】
（実施例１）
本発明の実施例に係る画像形成装置は、例えば、感光ドラムや、この感光ドラムに作用するプロセス手段などが一体的なユニット（プロセスカートリッジ）として、装置本体に対して着脱可能に構成されたものである。ここで、画像形成装置とは電子写真画像形成方式を用いてシート材等の記録媒体（記録材）に画像を形成するものである。本発明が適用可能な画像形成装置の例としては、例えば、電子写真複写機、電子写真プリンタ（ＬＥＤプリンタ、レーザビームプリンタ等）、ファクシミリ装置及びワードプロセッサ等が挙げられる。なお、画像形成装置本体とは、プロセスカートリッジ以外の画像形成装置の構成部分である。
【００１２】
図１〜図５を用いて本発明に係る画像形成装置の実施例１の構成について説明する。図５は、本発明の実施例１に係る画像形成装置の一例であるレーザビームプリンタの概略構成を示す図である。図５に示すように、画像形成装置１００は、シートＳに画像を形成する画像形成部１０１と、画像形成部１０１にシートＳを給送するシート給送装置１０２を有する。更に、画像形成部１０１によりシートＳに形成されたトナー画像を加熱及び加圧して定着する定着装置１０３等を備えている。ここで、画像形成部１０１は、画像形成装置１００本体（装置本体）に対して着脱可能なプロセスカートリッジ２００を有する。（以下、カートリッジと称す。）更に、カートリッジ２００に設けられる画像形成部としての像担持体となる感光ドラム１に対向して配置される転写ローラ２等を備えている。
【００１３】
＜画像形成プロセス＞
図示しない制御部からプリント信号が発せられると、図５に示す給送ローラ３が給送時のみ反時計回りに回転し、給送カセット４に積載されたシートＳが分離パッド５により分離されて最上位から１枚ずつ送り出される。更に、シートＳを搬送するための搬送ローラ６と搬送コロ７から成る搬送ローラ対に挟持されてシート搬送方向下流側に搬送される。シートＳを搬送後、シートＳを一旦停止させて感光ドラム１の表面に形成されたトナー画像とシートＳとの位置合わせを行う。そのために、レジストローラ８とレジコロ９から成るレジローラ対により挟持されて更にシート搬送方向下流側に搬送されて画像形成部１０１に送り出される。一方、このプリント命令と共に画像情報に基づき、帯電装置である帯
電ローラ１０により一様に帯電された感光ドラム１の表面上にレーザスキャナユニット１１からレーザ光が照射され、感光ドラム１の表面上に静電潜像が形成される。更に、この静電潜像を現像装置である現像ローラ１２によって現像することにより、感光ドラム１の表面上にトナー画像が形成される。感光ドラム１の表面上に形成されたトナー画像は、感光ドラム１と転写ローラ２とのニップ部に送り込まれたシートＳに転写される。更に、トナー画像が転写されたシートＳは定着装置１０３に送られ、定着装置１０３の加熱ローラ１３とこれを圧接する加圧ローラ１４とのニップ部へ導かれる。そして、ニップ部を通過する過程でシートＳの表面に転写されたトナー画像が加熱及び加圧されてシートＳに定着される。この後、定着装置１０３を通過したシートＳは搬送ローラ１５と搬送コロ１６から成る搬送ローラ対によって搬送され、排出ローラ１７と排出コロ１８から成る排出ローラ対によって排出トレイ１９上へ排出される。
【００１４】
＜開閉ドアのロック機構及びロック解除機構＞
開閉ドアのロック機構の構成について、図１〜図２を用いて説明する。図１は画像形成装置１００の斜視図である。画像形成装置１００の正面には消耗品の交換や紙詰まりの処理等を行うため、装置本体の内部を開放可能とする開閉ドア２０（開閉部材）が設けられている。ここでユーザが画像形成装置１００の開閉ドア２０と向かい合うと仮定して、上面には排出トレイ１９を備えた上カバー２１、左側面と右側面にはそれぞれ左カバー２２及び右カバー２３が設けられている。さらに、図１は開閉ドア２０が画像形成装置１００に対して閉じた状態を示している。また、図２は開閉ドア２０のロック機構の構成を示した斜視図であり、開閉ドア２０の内側を下方から見た部分拡大図である。
【００１５】
開閉ドア２０の内側上部には、ドアロック部材２４（係合部材）が配置されている。ドアロック部材２４を矢印Ａ方向に付勢するための圧縮バネであるドアロックバネ２５がドアロック部材２４の角穴２４ａと開閉ドア２０のリブ２０ａの間に配置されている。矢印Ａ方向とは、右カバー２３から左カバー２２へ向かう方向である。また、ドアロック部材２４は矢印Ａ、Ｂ方向に平行移動可能に開閉ドア２０に保持されている。矢印Ｂ方向とは、左カバー２２から右カバー２３へ向かう方向である。ドアロック部材２４の両端にはフック部２４ｂ、上カバー２１の前方両側には凹部２１ａ（被係合部）がそれぞれ設けられている。そして、フック部２４ｂが凹部２１ａにそれぞれ係合する、すなわちフック部２４ｂと凹部２１ａが互いに係合位置に移動することで、開閉ドア２０は画像形成装置１００に対して閉じた状態で保持される。
【００１６】
次に、開閉ドア２０のロック解除機構について、図１〜図２を用いて説明する。左カバー２２の前方上部にドアボタン２６が配置されている。ドアボタン２６は操作部として押圧可能な状態で左カバー２２の保持部２２ａに保持されており、矢印Ａ、Ｂ方向に平行移動可能となっている。開閉ドア２０を開く際は、ユーザがドアボタン２６を矢印Ｂ方向に押すと、ドアボタン２６にドアロック部材２４の端面２４ｃが押され、ドアロック部材２４が矢印Ｂ方向に移動する。そして、上カバー２１の凹部２１ａとドアロック部材２４のフック部２４ｂとの係合が解除され、凹部２１ａとフック部２４ｂは互いに非係合位置に移動する。
【００１７】
＜開閉ドアのポップアップ機構（力発生機構）＞
開閉ドア２０のポップアップ機構の構成について、図１〜図２を用いて説明する。ドアロック部材２４の中央には押圧部２４ｄが設けられており、その押圧部２４ｄと接するように、可動部材としてのポップアップ部材２７が配置されている。ポップアップ部材２７は開閉ドア２０の内側上部に設けられており、矢印Ｃ、Ｄ方向に平行移動可能となっている。矢印Ｃ方向とは、開閉ドア２０から装置内部へ向かう方向である。矢印Ｄ方向とは、装置内部から開閉ドア２０に向かう方向である。また、ポップアップ部材２７を矢印Ｄ方向に付勢するためのねじりコイルバネであるポップアップバネ２８がポップアップ部材２
７と同様に開閉ドア２０の内側上部に設けられている。
【００１８】
＜開閉ドアのポップアップ動作説明＞
開閉ドア２０のポップアップ動作について、図３〜図４を用いて説明する。図３は本実施例における開閉ドア２０のポップアップ機構の主要部及び動作を示した図である。図３（ａ）は開閉ドア２０が閉じた状態、図３（ｂ）はドアロック部材２４の係合が解除された状態を示す。また、図３（ｃ）は開閉ドア２０がポップアップした状態、図３（ｄ）は開閉ドア２０が完全に開いた状態をそれぞれ示している。図４は開閉ドア２０がポップアップした状態を左側面から示した断面図である。本実施例は、開閉ドア２０に対して互いに直交する方向（Ａ、Ｂ方向とＣ、Ｄ方向）にそれぞれ移動可能に組み付けられた２部材（ドアロック部材２４とポップアップ部材２７）が互いに作用することで、開閉ドア２０が開閉移動を可能とする構成となっている。そして、本実施例の各構成において、開閉ドア２０に開閉移動を生じさせる力を発生させる動作に関わる構成が、本発明における力発生機構に相当する。
【００１９】
図３（ａ）に示すように、ポップアップバネ２８の円筒部が開閉ドア２０のバネ軸２０ｃ、固定腕２８ａがバネ支持部２０ｄに支持されている。ポップアップバネ２８の付勢腕２８ｂがポップアップ部材２７の軸２７ｃを押圧することで、ポップアップ部材２７は矢印Ｄ方向に付勢される。そのため、開閉ドア２０が閉じた状態では、ポップアップ部材２７の押圧部２７ｂは、ドアロック部材２４との接触状態を維持し、上カバー２１との間に隙間Ｅを設けた位置で配置されている。開閉ドア２０を開けるために、ユーザがドアボタン２６を矢印Ｂ方向に押すと、ドアボタン２６にドアロック部材２４の端面２４ｃが押され、ドアロック部材２４が矢印Ｂ方向に移動する。ドアロック部材２４が矢印Ｂ方向に移動するにつれて、ポップアップ部材２７は、ポップアップ部材２７の斜面２７ａがドアロック部材の押圧部２４ｄの上を滑るようにして、矢印Ｃ方向に移動することになる。そして、矢印Ｃ方向への移動により、ポップアップ部材２７は上カバー２１（装置本体）に接近するので、ポップアップ部材２７の押圧部２７ｂと上カバー２１間の隙間Ｅは徐々に狭まっていく。
【００２０】
図３（ｂ）に示すように、ドアボタン２６が押し込み量Ｙ１まで押されると、上カバー２１の凹部２１ａとドアロック部材２４のフック部２４ｂとの係合が解除される。それと同時に、ドアロック部材２４の押圧部２４ｄの斜面がポップアップ部材２７の斜面２７ａを押すことで、ポップアップ部材２７は矢印Ｃ方向に移動する。このとき、ポップアップ部材２７の押圧部２７ｂは上カバー２１に接触する位置まで移動している。図示のように、ポップアップ部材２７は、ドアロック部材２４の押圧部２４ｄの斜面を登りきる前に上カバー２１と接触する状態となる。すなわち、図示の時点において、ポップアップ部材２７がドアロック部材２４の押圧部２４ｄの斜面上をさらに登る相対移動を可能とする隙間が、上カバー２１とドアロック部材２４の押圧部２４ｄとの間には残されていない。
【００２１】
図３（ｃ）に示すように、ドアボタン２６が押し込み量Ｙ２まで押されると、ポップアップ部材２７は図３（ｂ）の状態から、さらに距離Ｘ分移動することができる。すなわち、図３（ｂ）に示す状態において、ポップアップ部材２７は上カバー２１に接触していることで、矢印Ｃ方向への移動が規制された状態となっている。この状態からドアボタン２６がさらに押し込まれてドアロック部材２４が矢印Ｂ方向に移動しようとすると、押圧部２４ｄがポップアップ部材２７を矢印Ｃ方向に押そうとする力が、ドアロック部材２４自体に返ってきて、開閉ドア２０を開ける力に変換される。その結果、開閉ドア２０が開動作を開始して、ドアロック部材２４が矢印Ｄ方向へ移動することになる。すなわち、ポップアップ部材２７が上カバー２１に矢印Ｃ方向への移動が規制されていることで、ドアロック部材２４がポップアップ部材２７の斜面２７ａを滑るように矢印Ｂ方向へ移動しつつ矢印Ｄ方向へも移動し、開閉ドア２０を開ける力が発生する状態となる。ドアロック部材
２４は、開閉ドア２０に対して矢印Ａ、Ｂ方向への相対移動は許容されているが、矢印Ｃ、Ｄ方向への相対移動は許容されていない。また、ポップアップ部材２７は、開閉ドア２０に対して矢印Ｃ、Ｄ方向への相対移動は許容されているが、矢印Ａ、Ｂ方向への相対移動は許容されていない。したがって、ドアロック部材２４の装置本体に対する矢印Ｄ方向への移動は、開閉ドア２０の矢印Ｄ方向への移動、すなわち、装置本体に対して閉位置から外れる方向への移動（開動作）となる。この動作において、ポップアップ部材２７は、上カバー２１（装置本体）に対しては相対移動せず静止した状態となっているが、開閉ドア２０に対しては矢印Ｃ方向へ相対移動することになり、この移動量が上述した距離Ｘ分の移動となる。
【００２２】
なお、このときのポップアップ部材２７の動きを、ドアロック部材２４に対する相対移動で考えると、次のようになる。すなわち、ドアボタン２６が押されると、ポップアップ部材２７は、押圧部２４ｄの斜面を登る移動を開始する（図３（ａ）→（ｂ））。開閉ドア２０が装置本体に対して閉位置にあるときの矢印Ｃ、Ｄ方向における上カバー２１と押圧部２４ｄとの間の隙間の大きさは、ポップアップ部材２７の矢印Ｃ、Ｄ方向における長さよりも小さい構成となっている。したがって、ドアボタン２６の更なる押し込みにより、ポップアップ部材２７は、上カバー２１を矢印Ｃ方向に、押圧部２４ｄを矢印Ｄ方向に、それぞれに押し退けるようにして両者の間に入り込み、押圧部２４ｄの斜面を登りきる（図３（ｂ）→（ｃ））。このポップアップ部材２７が上カバー２１と押圧部２４ｄとの間に入り込む動作によって、ドアロック部材２４に矢印Ｄ方向の力（開閉ドア２０を開ける力）が作用し、開閉ドア２０が開動作を開始する。
【００２３】
図４に示すように、ポップアップ部材２７の押圧部２７ｂが上カバー２１を矢印Ｃ方向に押すことで、開閉ドア２０は距離Ｘ分だけ、開閉ドア２０の軸２０ｂを回転中心として、矢印Ｄ方向に回動する。すなわち、ユーザがドアボタン２６を矢印Ｂ方向に押したときのみ、ドアロック部材２４の動作により、ポップアップ部材２７が上カバー２１を押すことで、開閉ドア２０が矢印Ｄ方向に回動する。
【００２４】
図３（ｄ）は、ドアロック部材２４がドアボタン２６により押圧される状態から外れるまで、開閉ドア２０が装置本体に対して開いた状態を示している。この状態において、ドアロック部材２４は、ドアロックバネ２５によって矢印Ａ方向に付勢されているため、開閉ドア２０に対して矢印Ａ方向に移動する。また、ポップアップ部材２７はポップアップバネ２８によって矢印Ｄ方向に付勢されているため、開閉ドア２０に対して矢印Ｄ方向に移動する。すなわち、ドアロック部材２４とポップアップ部材２７の開閉ドア２０に対する相対位置は、図３（ａ）に示す状態と同じ状態となる。
【００２５】
開閉ドア２０を閉じる際には、まず、フック部２４ｂの傾斜部が上カバー２１の凹部２１ａの縁部に当たることで、ドアロック部材２４に矢印Ｂ方向の力が作用する。そして、開閉ドア２０の閉位置への移動にともない、ドアロック部材２４は、ドアロックバネ２５、ポップアップバネ２８の付勢力に抗して、図３（ｂ）に示す位置と同じ位置まで矢印Ｂ方向へ移動する。開閉ドア２０が装置本体に対して閉位置まで到達すると、ドアロック部材２４を図３（ｂ）に示す位置と同じ位置まで移動させていた、フック部２４ｂの傾斜部と凹部２１ａの縁部との係合状態が解かれ、ドアロック部材２４は矢印Ａ方向に移動する。その結果、フック部２４ｂと凹部２１ａとの係合状態は、図３（ａ）に示す状態になり、開閉ドア２０が装置本体に対して閉位置においてロックされた状態となる。
【００２６】
開閉ドア２０が完全に閉じられた状態では、図３（ａ）に示すように、ポップアップ部材２７は押圧部２７ｂと上カバー２１との隙間がＥとなる離間位置まで戻る。それと同時に、ドアロック部材２４のフック部２４ｂが上カバー２１の凹部２１ａにそれぞれ係合することで、開閉ドア２０が画像形成装置１００に閉じた状態で保持される。このように本
実施例によれば、開閉ドア２０が閉じている時に、ポップアップ部材２７は上カバー２１に接触しておらず、開閉ドア２０及び上カバー２１、ポップアップ部材２７に装置本体から強い付勢力がかからないため、クリープを防止することができる。
【００２７】
（実施例２）
次に、本発明の実施例２について図６〜８を用いて説明する。実施例２の構成において実施例１で説明したものと同じ構成には同一の符号を示す。また、実施例２の構成において実施例１と同様の構成および機能についての説明は省略し，実施例２の特徴部分についてのみ説明する。
【００２８】
＜開閉ドアのポップアップ機構（力発生機構）＞
図６は開閉ドア２０のロック機構の構成を示した斜視図であり、開閉ドア２０の内側を下方から見た図である。実施例１と同様に、ドアロック部材３４が開閉ドア２０の内側上部に設けられている。ドアロック部材３４の中央には押圧部３４ｄが設けられており、その押圧部３４ｄと接するように、バネ保持部材３５が配置されている。バネ保持部材３５の矢印Ｃ方向側には圧縮バネであるポップアップバネ３６、ポップアップ部材３７の順に配置されている。バネ保持部材３５、ポップアップバネ３６、ポップアップ部材３７は開閉ドア２０の内側上部に設けられており、矢印Ｃ、Ｄ方向に平行移動可能となっている。本実施例の各構成において、開閉ドア２０に開閉移動を生じさせる力を発生させる動作に関わる構成が、本発明における力発生機構に相当する。
【００２９】
＜開閉ドアのポップアップ動作説明＞
次に、開閉ドア２０のポップアップ動作について、図７〜図８を用いて説明する。図７は本実施例における開閉ドア２０のポップアップ機構の主要部及び動作を示した図である。図７（ａ）は開閉ドア２０が閉じた状態、図７（ｂ）はドアロック部材３４の係合が解除された状態、図７（ｃ）は開閉ドア２０がポップアップした状態（力発生機構の力を受けて開閉ドア２０が開いた状態）をそれぞれ示している。図８は開閉ドア２０がポップアップした状態を左側面から示した断面図である。
【００３０】
図７（ａ）に示すように、開閉ドア２０が閉じた状態では、ポップアップ部材３７の押圧部３７ｂは上カバー２１との間に隙間Ｅを設けた位置で配置されている。本実施例は、ポップアップバネ３６と、ポップアップバネ３６の一端に設けられたバネ保持部材３５と、他端に設けられたポップアップ部材３７と、の３部材から構成される一体の可動機構を備える。ポップアップ部材３７は、第１可動部材として、上カバー２１に対して接離可能に、矢印Ｃ、Ｄ方向に移動可能に、開閉ドア２０に組み付けられている。また、バネ保持部材３５は、第２可動部材として、ドアロック部材３４と接触し、移動するドアロック部材３４から受ける力によって矢印Ｃ、Ｄ方向に移動可能に、開閉ドア２０に組み付けられている。付勢部材としてのポップアップバネ３６は、バネ保持部材３５とポップアップ部材３７とを連結している。この可動機構は、上記３部材が一体的に、開閉ドア２０に対して矢印Ｃ、Ｄ方向に移動可能に組み付けられている。図７（ａ）に示す状態において、ポップアップバネ３６は自由長の状態でバネ保持部材３５とポップアップ部材３７の間に保持されており、バネ力に勝る力が作用しない限りポップアップ部材３７が矢印Ｃ方向にこれ以上移動しないようになっている。
【００３１】
ドアボタン２６が押されてドアロック部材２４が矢印Ｂ方向に移動を開始すると、バネ保持部材３５の斜面３５ａが、ドアロック部材３４の押圧部３４ｄの斜面上を滑るようにして矢印Ｃ方向へ移動を開始する。このバネ保持部材３５の移動にともない、ポップアップバネ３６とポップアップ部材３７もバネ保持部材３５と一体となって矢印Ｃ方向へ移動を開始する。そして、ポップアップ部材３７の押圧部３７ｂと上カバー２１との隙間Ｅが徐々に狭まっていく。
【００３２】
図７（ｂ）に示すように、ドアボタン２６が押し込み量Ｙ１まで押し込まれると、上カバー２１の凹部２１ａとドアロック部材３４のフック部３４ｂとの係合が解除される。それと同時に、ドアロック部材３４の押圧部３４ｄの斜面がバネ保持部材３５の斜面３５ａを押すことで、矢印Ｃ方向に移動していたポップアップ部材３７の押圧部３７ｂは上カバー２１に接触する位置まで移動する。上カバー２１との当接によって矢印Ｃ方向への移動が規制されているポップアップ部材３７に対して、バネ保持部材３５はさらに矢印Ｃ方向へ移動する。その結果、ポップアップバネ３６は自由長の状態から圧縮され、ポップアップ部材３７は所定の付勢力で上カバー２１に対して矢印Ｃ方向に押されている状態となる。
【００３３】
図７（ｃ）に示すように、ドアボタン２６が押し込み量Ｙ２まで押し込まれると、ポップアップ部材３７は図７（ｂ）の状態から、さらに距離Ｘ分移動することができる。開閉ドア２０が閉位置にあるときの矢印Ｃ、Ｄ方向における上カバー２１と押圧部３４ｄとの間の隙間の大きさは、ポップアップバネ３６が上記のように圧縮されたときの可動機構の矢印Ｃ、Ｄ方向における長さよりも小さい構成となっている。したがって、ドアボタン２６のさらなる押し込みによって、可動機構が上カバー２１と押圧部３４ｄとの間に入り込み、両者をそれぞれ矢印Ｃ、Ｄ方向に引き離すような相対移動が発生する。その結果、開閉ドア２０が開移動を開始する。すなわち、ポップアップ部材３４が上カバー２１によって矢印Ｃ方向への移動が規制され、ポップアップバネ３６も限界の圧縮長に達しているため、バネ保持部材３５も矢印Ｃ方向への移動が規制された状態となっている。したがって、ドアボタン２６のさらなる押し込みによって、ドアロック部材３４は、バネ保持部材３５の斜面３５ａを滑るように矢印Ｂ方向へ移動しつつ、矢印Ｄ方向へも移動する状態となる。ドアロック部材３４は、開閉ドア２０に対して矢印Ａ、Ｂ方向への相対移動は許容されているが、矢印Ｃ、Ｄ方向への相対移動は許容されていない。また、可動機構を構成する３部材は、開閉ドア２０に対して矢印Ｃ、Ｄ方向への相対移動は許容されているが、矢印Ａ、Ｂ方向への相対移動は許容されていない。したがって、ドアロック部材３４の装置本体に対する矢印Ｄ方向への移動は、開閉ドア２０の矢印Ｄ方向への移動、すなわち、装置本体に対して閉位置から外れる方向への移動（開動作）となる。この動作において、可動機構を構成する３部材は、上カバー２１（装置本体）に対しては相対移動せず静止した状態となっているが、開閉ドア２０に対しては矢印Ｃ方向へ相対移動することになり、この移動量が上述した距離Ｘ分の移動となる。
【００３４】
図８に示すように、ポップアップ部材３７の押圧部３７ｂが上カバー２１を矢印Ｃ方向に押すことで、開閉ドア２０は、距離Ｘ分だけ軸２０ｂを回転中心として矢印Ｄ方向に回動する。すなわち、ユーザがドアボタン２６を矢印Ｂ方向に押したときのみ、ドアロック部材３４の動作によって、ポップアップ部材３７が上カバー２１を押すことで、開閉ドア２０が矢印Ｄ方向に回動する。
【００３５】
本実施例では、上述した距離Ｘ分回転した状態（図７（ｃ）、図８）において、圧縮されたポップアップバネ３６が元の長さに戻ろうとする力が加わるため、その後の開閉ドア２０の開動作は、バネの付勢力によりさらに勢いをつけた回転動作となる。
【００３６】
開閉ドア２０を閉じる時には、ドアロックバネ２５の付勢力によってドアロック部材３４が矢印Ａ方向に移動する。一方、バネ保持部材３５、ポップアップバネ３６、ポップアップ部材３７の３部材は、開閉ドア２０に対してフリーな状態で支持されているため必ずしも特定の位置にあるわけではないが、多くの場合、自重によって矢印Ｄ方向に移動する。開閉ドア２０が完全に閉じられた状態では、図７（ａ）に示すように、ポップアップ部材３７は押圧部３７ｄと上カバー２１との隙間がＥとなる位置まで戻っていることが多いが必ずしもこの位置にあるわけではない。上記３部材がいずれの位置にあるにせよ、ドア
ロック部材３４が図７（ａ）に示す位置から矢印Ｂ方向へ移動しない限り、開閉ドア２０を閉位置から開位置へ移動させるように作用する力が、上カバー２１とドアロック部材３４との間に生じることはない。すなわち、第１可動部材としてのポップアップ部材３７は、開閉ドア２０の開操作時において、遅くともドアロック部材３４が上カバー２１との係合位置から外れるまでに上カバー２１と接触する状態となっていればよい。また、第２可動部材としてのバネ保持部材３５も、開閉ドア２０の開操作時において、遅くともドアロック部材３４が上カバー２１との係合位置から外れるまでに、ポップアップ部材３７との距離を縮めてポップアップバネ３６に付勢力を発生させていればよい。
【００３７】
以上のように、実施例１と同様に、開閉ドア２０が閉じている時に開閉ドア２０及び上カバー２１、ポップアップ部材３７に装置本体からの強い付勢力がかからないため、クリープを防止することができる。また、ポップアップ部材３７が上カバー２１を押し込みすぎた場合に、ポップアップバネ３６の弾性によって吸収できる。そのため、実施例１よりもポップアップ部材３７による上カバー２１の押し込み量や押し込むタイミングの設定の自由度を上げることができる。
【００３８】
（実施例３）
次に、本発明の実施例３について図９〜１０を用いて説明する。実施例３の構成において実施例１で説明したものと同じ構成には同一の符号を示す。また、実施例３の構成において実施例１と同様の構成および機能についての説明は省略し、実施例３の特徴部分についてのみ説明する。図９は開閉ドア２０のポップアップ機構の構成を示した斜視図である。図１０は開閉ドア２０のポップアップ機構の断面図であり、図１０（ａ）は開閉ドア２０が閉じた状態、図１０（ｂ）はドアロック部材６４の係合が解除された状態、図１０（ｃ）は開閉ドア２０がポップアップした状態を示す。図１０（ｄ）はカートリッジ２００が画像形成装置１００に取り出される途中の状態、図１０（ｅ）はカートリッジ２００が画像形成装置１００から完全に取り出された状態を示す。また、図１０（ｆ）はカートリッジ２００が不完全装着状態で開閉ドア２０を閉める状態を示している。
【００３９】
図９及び図１０に示すように、ポップアップ部材６７には上カバー２１を押す押圧部６７ｂの下方にカートリッジ押圧部６７ｃを設けている。また、実施例１に対してドアロック部材６４の押圧部６４ｄとポップアップ部材６７の斜面６７ａが下方に延伸している。図１０（ａ）に示す開閉ドア２０が閉じた状態では、押圧部６７ｂは上カバー２１と隙間Ｅ、カートリッジ押圧部６７ｃはカートリッジ２００の面２００ａと隙間Ｆを設けた位置で配置されている。
【００４０】
＜開閉ドアのポップアップ動作説明＞
次に、開閉ドア２０のポップアップ動作について、図１０を用いて説明する。ユーザがドアボタン２６を押すと、ドアロック部材６４が移動し、ポップアップ部材６７は矢印Ｃ方向に移動する。移動するにつれて、実施例１と同様にポップアップ部材６７の斜面６７ａが、ドアロック部材６４の押圧部６４ｄの斜面上を滑るようにして、矢印Ｃ方向へ移動をする。そして、ポップアップ部材６７の押圧部６７ｂと上カバー２１との間に設けられた隙間Ｅ、ポップアップ部材６７のカートリッジ押圧部６７ｃとカートリッジ２００の面２００ａとの間に設けられた隙間Ｆが徐々に狭まっていく。ポップアップ部材６７の押圧面６７ｂが上カバー２１に、カートリッジ押圧部６７ｃがカートリッジ２００の面２００ａに接触する位置まで移動したときを図１０（ｂ）に示す。図１０（ｃ）に示すように、ドアボタン２６がさらに押し込まれると、ポップアップ部材６７の押圧部６７ｂが上カバー２１を、カートリッジ押圧部６７ｃがカートリッジ２００の面２００ａをそれぞれ矢印Ｃ方向に押す。ポップアップ部材６７の矢印Ｃ方向への動きが規制されるため、ポップアップ部材６７の押圧部６７ｂが上カバ−２１を押す力、さらにカートリッジ押圧部６７ｃがカートリッジ２００の面２００ａを押す力の、それぞれに抗する力が矢印Ｄ方向に働く
ことになる。その結果、距離Ｘ分だけ開閉ドア２０は軸２０ｂを中心に矢印Ｄ方向に回動する。すなわち、ユーザがドアボタン２６を押したときのみ、ドアロック部材６４の動作によって、ポップアップ部材６７が上カバー２１及びカートリッジ２００を押すことで、開閉ドア２０が矢印Ｄ方向に回動する。また、カートリッジ２００が画像形成装置１００に装着されていない時に開閉ドア２０を開ける場合は、ポップアップ部材６７が上カバー２１だけを押すことになる。そのため、ポップアップ部材６７の押圧部６７ｂが上カバー２１を押す力に抗する力が矢印Ｄ方向に働き、開閉ドア２０がポップアップすることができる。
【００４１】
＜カートリッジの押し込み動作＞
図１０に示すように、カートリッジ２００の両側面には基準ボス（突起）２００ｂ、２００ｃがそれぞれ設けられている。また、画像形成装置１００には、カートリッジ２００の位置決めと着脱時の案内をするガイド部材６８が設けられている。カートリッジ２００の正規装着位置では、図１０（ａ）のように、カートリッジ２００の基準ボス２００ｂがガイド部材６８の突き当て面６８ａと案内面６８ｂ、ボス２００ｃが案内面６８ｂに当接した位置にある。カートリッジ２００を画像形成装置１００から取り出す時には、図１０（ｄ）に示すように、ユーザが開閉ドア２０を矢印Ｒ方向に開けた後、カートリッジ２００を矢印Ｇ方向に取り出す。ここで、Ｒ方向とは２０ｂを軸にして開閉ドア２０が装置前方に回動する方向である。Ｇ方向とは、装置本体内部から案内面６８ｂに沿って外側に向かい斜め上方を指す方向である。この時、カートリッジ２００の基準ボス２００ｂとボス２００ｃがガイド部材６８の案内面６８ｂに当接しながら取り出される。図１０（ｅ）はユーザによってカートリッジ２００を画像形成装置１００から完全に取り出された状態である。
【００４２】
図１０（ｆ）に、カートリッジ２００が装着軌跡の途中にあり、正規位置に装着されていない不完全装着状態にあるときを示す。この不完全装着状態で、開閉ドア２０を閉じると、カートリッジ押圧部６７ｃがカートリッジ２００の面２００ａに接触する。さらに、開閉ドア２０を閉じると、図１０（ｂ）のように、カートリッジ押圧部６７ｃがカートリッジ２００の面２００ａを矢印Ｃ方向に押し込む。そのため、カートリッジ２００はガイド部材６８の案内面６８ｂに沿って矢印Ｈ方向に移動し、基準ボス２００ｂが突き当て面６８ａに当接する正規位置に装着される。ここで、Ｈ方向とは、外側から装置本体内部に向かい案内面６８ｂに沿って斜め下方を指す方向である。開閉ドア２０が完全に閉じられた状態では、図１０（ａ）に示すように、ポップアップ部材６７は押圧部６７ｂと上カバー２１との隙間がＥ、カートリッジ押圧部６７ｃとカートリッジ２００の面２００ａとの隙間がＦとなる位置まで戻る。
【００４３】
以上のように、実施例１と同様に、開閉ドア２０が閉じている時に、ポップアップ部材６７は上カバー２１に接触していない。そのため、開閉ドア２０及び上カバー２１、ポップアップ部材６７に装置本体から強い付勢力がかからず、クリープを防止することができる。また、カートリッジ２００が不完全に装着された場合でも、開閉ドア２０の閉じる動作で、カートリッジ２００を正規位置に装着することができる。開閉ドア２０が閉じている時には、ポップアップ部材６７はカートリッジ２００からは離間する位置まで退避するため、画像形成動作に影響を与えることはない。なお、本実施例に対して、実施例２で説明したように、ドアロック部材６４とポップアップ部材６７の間に、バネ保持部材３５及びポップアップバネ３６を配置してもよい。
【００４４】
また、上記実施例では、ドアロック部材（係合部材）及びポップアップ部材（可動部材）が、装置本体と開閉ドアのうちの一方としての開閉ドアに設けられた構成としているが、本発明が適用可能な構成はかかる構成に限定されない。ドアロック部材及びポップアップ部材が、装置本体と開閉ドアのうちの他方としての装置本体に設けられる構成としても
よい。すなわち、ドアロック部材とポップアップ部材を装置本体にそれぞれ所定の方向に移動可能に設け、ドアロック部材のフック部と係合する凹部を開閉ドアに設け、かかる係合の解除時に、ポップアップ部材により開閉ドアを開く力が発生するように構成すればよい。
【符号の説明】
【００４５】
２０…開閉ドア、２４…ドアロック部材、２７…ポップアップ部材、２８…ポップアップバネ、３４…ドアロック部材、３５…バネ保持部材、３６…ポップアップバネ、３７…ポップアップ部材、６４…ドアロック部材、６７…ポップアップ部材
【図１】
2018077336.tif 000003
【図２】
2018077336.tif 000004
【図３】
2018077336.tif 000005
【図４】
2018077336.tif 000006
【図５】
2018077336.tif 000007
【図６】
2018077336.tif 000008
【図７】
2018077336.tif 000009
【図８】
2018077336.tif 000010
【図９】
2018077336.tif 000011
【図１０】
2018077336.tif 000012